【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
１ゲームに対して所定数の賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
メダル投入口から投入されたメダルを前記賭数の設定に用いるために取り込むための取込経路と、
外部から投入されたメダルの流下経路を、外部に排出する排出経路または前記取込経路のいずれかの流下経路に切り替える流路切替手段と、
メダルの受付が不可能な状態となった場合に、前記流路切替手段により前記流下経路を前記取込経路から前記排出経路に切り替えさせる第１の切替制御手段と、
メダルの受付が可能な状態となった場合に、前記流路切替手段により前記流下経路を前記排出経路から前記取込経路に切り替えさせる第２の切替制御手段と、
前記取込経路を挟んで対向する位置に配置された投光部と受光部を有し、該投光部から受光部への光の遮断を検知することで該取込経路を流下するメダルを検出する投入メダル検出手段と、
前記賭数の設定に使用可能なメダル数を記憶するメダル数記憶手段と、
前記投入メダル検出手段がメダルを検出したことを条件に、前記メダル数記憶手段に記憶されているメダル数を加算するメダル数加算手段と、
前記取込経路において前記投入メダル検出手段の配置位置よりも上流側で、かつ該投入メダル検出手段の前記受光部と同じ向きとなるように配置された受光部を有し、該受光部が前記投入メダル検出手段の投光部の光と同質の光を検出する発光検出手段と、
前記発光検出手段の受光部が受光したときに異常と判定する異常判定手段と、
前記異常判定手段が異常と判定したときに、不正器具が使用された可能性がある旨を特定可能に報知する制御を行う異常時制御手段と、
前記投入メダル検出手段により検出されたメダルの流下方向が正常な流下方向と異なったとき、または前記投入メダル検出手段により検出されたメダルの流下時間が予め定められた最大流下時間を超えたときにエラー判定するエラー判定手段と、
前記エラー判定手段によるエラー判定に基づき所定のエラー処理を実行するエラー処理手段と、
前記第１の切替制御手段が前記メダルの流下経路を前記排出経路に切り替えさせたときに、前記投入メダル検出手段による検出を無効化する無効化手段と、
前記無効化される時間が経過した時点で前記投入メダル検出手段による検出の無効化を解除する無効化解除手段と、
を備え、
前記無効化される時間は、前記無効化手段が前記投入メダル検出手段による検出を無効化した時点から前記最大流下時間よりも長く、かつゲームの開始から前記可変表示装置に表示結果が導出されてゲームが終了するまでの１ゲームに要する最短時間よりも短く、なるように定められた時間である
ことを特徴とするスロットマシン。
【請求項２】
１ゲームに対して所定数の賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
メダル投入口から投入されたメダルを前記賭数の設定に用いるために取り込むための取込経路と、
外部から投入されたメダルの流下経路を、外部に排出する排出経路または前記取込経路のいずれかの流下経路に切り替える流路切替手段と、
メダルの受付が不可能な状態となった場合に、前記流路切替手段により前記流下経路を前記取込経路から前記排出経路に切り替えさせる第１の切替制御手段と、
メダルの受付が可能な状態となった場合に、前記流路切替手段により前記流下経路を前記排出経路から前記取込経路に切り替えさせる第２の切替制御手段と、
前記取込経路を挟んで対向する位置に配置された投光部と受光部を有し、該投光部から受光部への光の遮断を検知することで該取込経路を流下するメダルを検出する投入メダル検出手段と、
前記賭数の設定に使用可能なメダル数を記憶するメダル数記憶手段と、
前記投入メダル検出手段がメダルを検出したことを条件に、前記メダル数記憶手段に記憶されているメダル数を加算するメダル数加算手段と、
前記取込経路において前記投入メダル検出手段の配置位置よりも上流側で、該取込経路を挟んで対向する位置に前記投入メダル検出手段の投光部と受光部の向きと同じ向きとなるように配置された一対の投光部と受光部を有し、該投光部が前記投入メダル検出手段の投光部の光と同質の光を発し、該受光部が前記投入メダル検出手段の投光部の光と同質の光を検出する発光検出手段と、
前記発光検出手段の投光部の発光及び非発光を制御する投光制御手段と、
前記投光制御手段が前記発光検出手段の投光部を非発光に制御している状態で前記発光検出手段の受光部が受光したときに異常と判定する異常判定手段と、
前記異常判定手段が異常と判定したときに、不正器具が使用された可能性がある旨を特定可能に報知する制御を行う異常時制御手段と、
前記投入メダル検出手段により検出されたメダルの流下方向が正常な流下方向と異なったとき、または前記投入メダル検出手段により検出されたメダルの流下時間が予め定められた最大流下時間を超えたときにエラー判定するエラー判定手段と、
前記エラー判定手段によるエラー判定に基づき所定のエラー処理を実行するエラー処理手段と、
前記第１の切替制御手段が前記メダルの流下経路を前記排出経路に切り替えさせたときに、前記投入メダル検出手段による検出を無効化する無効化手段と、
前記無効化される時間が経過した時点で前記投入メダル検出手段による検出の無効化を解除する無効化解除手段と、
を備え、
前記無効化される時間は、前記無効化手段が前記投入メダル検出手段による検出を無効化した時点から前記最大流下時間よりも長く、かつゲームの開始から前記可変表示装置に表示結果が導出されてゲームが終了するまでの１ゲームに要する最短時間よりも短く、なるように定められた時間である
ことを特徴とするスロットマシン。
【請求項３】
１ゲームに対して所定数の賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
メダル投入口から投入されたメダルを前記賭数の設定に用いるために取り込むための取込経路と、
外部から投入されたメダルの流下経路を、外部に排出する排出経路または前記取込経路のいずれかの流下経路に切り替える流路切替手段と、
メダルの受付が不可能な状態となった場合に、前記流路切替手段により前記流下経路を前記取込経路から前記排出経路に切り替えさせる第１の切替制御手段と、
メダルの受付が可能な状態となった場合に、前記流路切替手段により前記流下経路を前記排出経路から前記取込経路に切り替えさせる第２の切替制御手段と、
前記取込経路を挟んで対向する位置に配置された投光部と受光部を有する複数組の投受光型検出手段と、
前記スロットマシンの電源投入後、所定期間毎に、前記投光部から受光部への光の遮断を検知することで該取込経路を流下するメダルを検出する投入メダル検出手段と前記投光部が非発光状態に変化したときの受光部の受光状態を検出する発光検出手段とを前記複数組の投受光型検出手段から選択する選択手段と、
前記賭数の設定に使用可能なメダル数を記憶するメダル数記憶手段と、
前記投入メダル検出手段として選択された投受光型検出手段がメダルを検出したことを条件に、前記メダル数記憶手段に記憶されているメダル数を加算するメダル数加算手段と、
前記発光検出手段として選択された投受光型検出手段の投光部の発光及び非発光を制御する投光制御手段と、
前記投光制御手段が前記発光検出手段として選択された投受光型検出手段の投光部を非発光に制御している状態で該投受光型検出手段の受光部が受光したときに異常と判定する異常判定手段と、
前記異常判定手段が異常と判定したときに、不正器具が使用された可能性がある旨を特定可能に報知する制御を行う異常時制御手段と、
前記投入メダル検出手段として選択された投受光型検出手段により検出されたメダルの流下方向が正常な流下方向と異なったとき、または前記投入メダル検出手段として選択された投受光型検出手段により検出されたメダルの流下時間が予め定められた最大流下時間を超えたときにエラー判定するエラー判定手段と、
前記エラー判定手段によるエラー判定に基づき所定のエラー処理を実行するエラー処理手段と、
前記第１の切替制御手段が前記メダルの流下経路を前記排出経路に切り替えさせたときに、前記投入メダル検出手段として選択された投受光型検出手段による検出を無効化する無効化手段と、
前記無効化される時間が経過した時点で前記投入メダル検出手段として選択された投受光型検出手段による検出の無効化を解除する無効化解除手段と、
を備え、
前記無効化される時間は、前記無効化手段が前記投入メダル検出手段として選択された投受光型検出手段による検出を無効化した時点から前記最大流下時間よりも長く、かつゲームの開始から前記可変表示装置に表示結果が導出されてゲームが終了するまでの１ゲームに要する最短時間よりも短く、なるように定められた時間である
ことを特徴とするスロットマシン。
【請求項４】
１ゲームに対して所定数の賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
メダル投入口から投入されたメダルを前記賭数の設定に用いるために取り込むための取込経路と、
外部から投入されたメダルの流下経路を、外部に排出する排出経路または前記取込経路のいずれかの流下経路に切り替える流路切替手段と、
メダルの受付が不可能な状態となった場合に、前記流路切替手段により前記流下経路を前記取込経路から前記排出経路に切り替えさせる第１の切替制御手段と、
メダルの受付が可能な状態となった場合に、前記流路切替手段により前記流下経路を前記排出経路から前記取込経路に切り替えさせる第２の切替制御手段と、
前記取込経路を挟んで対向する位置に配置された投光部と受光部を有し、該投光部から受光部への光の遮断を検知することで該取込経路を流下するメダルを検出する投入メダル検出手段と、
前記賭数の設定に使用可能なメダル数を記憶するメダル数記憶手段と、
前記投入メダル検出手段がメダルを検出したことを条件に、前記メダル数記憶手段に記憶されているメダル数を加算するメダル数加算手段と、
前記投入メダル検出手段の投光部の発光及び非発光を制御する投光制御手段と、
前記投光制御手段が前記投入メダル検出手段の投光部を非発光に制御している状態で前記投入メダル検出手段の受光部が受光したときに異常と判定する異常判定手段と、
前記異常判定手段が異常と判定したときに、不正器具が使用された可能性がある旨を特定可能に報知する制御を行う異常時制御手段と、
前記投入メダル検出手段により検出されたメダルの流下方向が正常な流下方向と異なったとき、または前記投入メダル検出手段により検出されたメダルの流下時間が予め定められた最大流下時間を超えたときにエラー判定するエラー判定手段と、
前記エラー判定手段によるエラー判定に基づき所定のエラー処理を実行するエラー処理手段と、
前記第１の切替制御手段が前記メダルの流下経路を前記排出経路に切り替えさせたときに、前記投入メダル検出手段による検出を無効化する無効化手段と、
前記無効化される時間が経過した時点で前記投入メダル検出手段による検出の無効化を解除する無効化解除手段と、
を備え、
前記無効化される時間は、前記無効化手段が前記投入メダル検出手段による検出を無効化した時点から前記最大流下時間よりも長く、かつゲームの開始から前記可変表示装置に表示結果が導出されてゲームが終了するまでの１ゲームに要する最短時間よりも短く、なるように定められた時間である
ことを特徴とするスロットマシン。
【手続補正２】
【補正対象書類名】明細書
【補正対象項目名】０００９
【補正方法】変更
【補正の内容】
【０００９】
上記課題を解決するために、本発明の請求項１に記載のスロットマシンは、
１ゲームに対して所定数の賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
メダル投入口から投入されたメダルを前記賭数の設定に用いるために取り込むための取込経路と、
外部から投入されたメダルの流下経路を、外部に排出する排出経路または前記取込経路のいずれかの流下経路に切り替える流路切替手段と、
メダルの受付が不可能な状態となった場合に、前記流路切替手段により前記流下経路を前記取込経路から前記排出経路に切り替えさせる第１の切替制御手段と、
メダルの受付が可能な状態となった場合に、前記流路切替手段により前記流下経路を前記排出経路から前記取込経路に切り替えさせる第２の切替制御手段と、
前記取込経路を挟んで対向する位置に配置された投光部と受光部を有し、該投光部から受光部への光の遮断を検知することで該取込経路を流下するメダルを検出する投入メダル検出手段と、
前記賭数の設定に使用可能なメダル数を記憶するメダル数記憶手段と、
前記投入メダル検出手段がメダルを検出したことを条件に、前記メダル数記憶手段に記憶されているメダル数を加算するメダル数加算手段と、
前記取込経路において前記投入メダル検出手段の配置位置よりも上流側で、かつ該投入メダル検出手段の前記受光部と同じ向きとなるように配置された受光部を有し、該受光部が前記投入メダル検出手段の投光部の光と同質の光を検出する発光検出手段と、
前記発光検出手段の受光部が受光したときに異常と判定する異常判定手段と、
前記異常判定手段が異常と判定したときに、不正器具が使用された可能性がある旨を特定可能に報知する制御を行う異常時制御手段と、
前記投入メダル検出手段により検出されたメダルの流下方向が正常な流下方向と異なったとき、または前記投入メダル検出手段により検出されたメダルの流下時間が予め定められた最大流下時間を超えたときにエラー判定するエラー判定手段と、
前記エラー判定手段によるエラー判定に基づき所定のエラー処理を実行するエラー処理手段と、
前記第１の切替制御手段が前記メダルの流下経路を前記排出経路に切り替えさせたときに、前記投入メダル検出手段による検出を無効化する無効化手段と、
前記無効化される時間が経過した時点で前記投入メダル検出手段による検出の無効化を解除する無効化解除手段と、
を備え、
前記無効化される時間は、前記無効化手段が前記投入メダル検出手段による検出を無効化した時点から前記最大流下時間よりも長く、かつゲームの開始から前記可変表示装置に表示結果が導出されてゲームが終了するまでの１ゲームに要する最短時間よりも短く、なるように定められた時間である
ことを特徴としている。
この特徴によれば、不正器具をメダル投入口から挿入する際には、投入メダル検出手段により不正器具の挿入が検出されないように、発光素子を発光させた状態で挿入する必要があるが、投入メダル検出手段の配置位置よりも上流側で、かつ該投入メダル検出手段の受光部と同じ向きとなるように配置された発光検出手段の受光部が不正器具の発光素子の発光を受光した場合に異常と判定する。この異常は、メダル詰まりではあり得ない異常であるので、不正器具の挿入による異常として判定され、その旨が特定可能に報知されるようになり、不正器具の挿入による不正を確実に監視できるため、発光素子を搭載した不正器具を用いた不正行為を効果的に抑止することができる。
また、メダルの受付が不可能な状態となった場合に、投入メダル検出手段による検出が無効化されるので、投入されたメダルが流下する勢いや後方から流下するメダルの勢いで取込経路側に流下してしまった場合でもエラー判定されてしまうことを防止できる。また、無効化される時間が、大流下時間よりも長く、かつ１ゲームに要する最短時間よりも短く設定されているので、取込経路を流下するメダルの検出が無効化される時間が十分に担保され、エラーの発生を確実に防止できるうえに、次のゲームにて投入されたメダルの検出が無効化されてしまうといった不都合も回避できる。
尚、上記では、発光検出手段を、投入メダル検出手段の配置位置よりも上流側に配置しているが、例えば、投入メダル検出手段が複数の検出手段から構成されている場合には、投入メダル検出手段を構成する検出手段のうち最も下流側に配置された検出手段よりも上流側に発光検出手段を配置する構成であれば良い。
また、投入メダル検出手段の投光部の光と同質の光とは、投入メダル検出手段の受光部で受光を検出させることができる光である。
【手続補正３】
【補正対象書類名】明細書
【補正対象項目名】００１０
【補正方法】変更
【補正の内容】
【００１０】
本発明の請求項２に記載のスロットマシンは、
１ゲームに対して所定数の賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
メダル投入口から投入されたメダルを前記賭数の設定に用いるために取り込むための取込経路と、
外部から投入されたメダルの流下経路を、外部に排出する排出経路または前記取込経路のいずれかの流下経路に切り替える流路切替手段と、
メダルの受付が不可能な状態となった場合に、前記流路切替手段により前記流下経路を前記取込経路から前記排出経路に切り替えさせる第１の切替制御手段と、
メダルの受付が可能な状態となった場合に、前記流路切替手段により前記流下経路を前記排出経路から前記取込経路に切り替えさせる第２の切替制御手段と、
前記取込経路を挟んで対向する位置に配置された投光部と受光部を有し、該投光部から受光部への光の遮断を検知することで該取込経路を流下するメダルを検出する投入メダル検出手段と、
前記賭数の設定に使用可能なメダル数を記憶するメダル数記憶手段と、
前記投入メダル検出手段がメダルを検出したことを条件に、前記メダル数記憶手段に記憶されているメダル数を加算するメダル数加算手段と、
前記取込経路において前記投入メダル検出手段の配置位置よりも上流側で、該取込経路を挟んで対向する位置に前記投入メダル検出手段の投光部と受光部の向きと同じ向きとなるように配置された一対の投光部と受光部を有し、該投光部が前記投入メダル検出手段の投光部の光と同質の光を発し、該受光部が前記投入メダル検出手段の投光部の光と同質の光を検出する発光検出手段と、
前記発光検出手段の投光部の発光及び非発光を制御する投光制御手段と、
前記投光制御手段が前記発光検出手段の投光部を非発光に制御している状態で前記発光検出手段の受光部が受光したときに異常と判定する異常判定手段と、
前記異常判定手段が異常と判定したときに、不正器具が使用された可能性がある旨を特定可能に報知する制御を行う異常時制御手段と、
前記投入メダル検出手段により検出されたメダルの流下方向が正常な流下方向と異なったとき、または前記投入メダル検出手段により検出されたメダルの流下時間が予め定められた最大流下時間を超えたときにエラー判定するエラー判定手段と、
前記エラー判定手段によるエラー判定に基づき所定のエラー処理を実行するエラー処理手段と、
前記第１の切替制御手段が前記メダルの流下経路を前記排出経路に切り替えさせたときに、前記投入メダル検出手段による検出を無効化する無効化手段と、
前記無効化される時間が経過した時点で前記投入メダル検出手段による検出の無効化を解除する無効化解除手段と、
を備え、
前記無効化される時間は、前記無効化手段が前記投入メダル検出手段による検出を無効化した時点から前記最大流下時間よりも長く、かつゲームの開始から前記可変表示装置に表示結果が導出されてゲームが終了するまでの１ゲームに要する最短時間よりも短く、なるように定められた時間である
ことを特徴としている。
この特徴によれば、不正器具をメダル投入口から挿入する際には、投入メダル検出手段により不正器具の挿入が検出されないように発光素子を発光させた状態で挿入し、挿入後においては不正器具が挿入されている状態が検出されないようにメダルの通過と同じ状況を創出するとき以外は常に発光素子を発光させている必要があるが、投入メダル検出手段の配置位置よりも上流側に配置された発光検出手段の投光部が非発光に制御されている状態で対応する受光部が受光した場合に異常と判定する。この異常は、メダル詰まりではあり得ない異常であるので、発光検出手段の投光部が非発光に制御されたときに対応する受光部が不正器具の発光素子の発光を受光することで不正器具の挿入による異常として判定され、その旨が特定可能に報知されるようになり、不正器具の挿入による不正を確実に監視できるため、発光素子を搭載した不正器具を用いた不正行為を効果的に抑止することができる。
また、メダルの受付が不可能な状態となった場合に、投入メダル検出手段による検出が無効化されるので、投入されたメダルが流下する勢いや後方から流下するメダルの勢いで取込経路側に流下してしまった場合でもエラー判定されてしまうことを防止できる。また、無効化される時間が、大流下時間よりも長く、かつ１ゲームに要する最短時間よりも短く設定されているので、取込経路を流下するメダルの検出が無効化される時間が十分に担保され、エラーの発生を確実に防止できるうえに、次のゲームにて投入されたメダルの検出が無効化されてしまうといった不都合も回避できる。
尚、上記では、発光検出手段を、投入メダル検出手段の配置位置よりも上流側に配置しているが、例えば、投入メダル検出手段が複数の検出手段から構成されている場合には、投入メダル検出手段を構成する検出手段のうち最も下流側に配置された検出手段よりも上流側に発光検出手段を配置する構成であれば良い。
また、投入メダル検出手段の投光部の光と同質の光とは、投入メダル検出手段の受光部で受光を検出させることができる光である。
【手続補正４】
【補正対象書類名】明細書
【補正対象項目名】００１１
【補正方法】変更
【補正の内容】
【００１１】
本発明の手段１に記載のスロットマシンは、請求項２に記載のスロットマシンであって、
前記投光制御手段は、前記投入メダル検出手段の検出状態に関わらず前記発光検出手段の投光部の発光及び非発光を制御することを特徴とする。
この特徴によれば、投入メダル検出手段の検出状態から発光検出手段の投光部の発光及び非発光状態を特定することが不可能となるので、不正器具の挿入による不正をより確実に監視することができる。
また、前記投光制御手段は、発光検出手段の投光部の発光または非発光のタイミングや時間をランダムに制御することが好ましく、これにより不正器具の発光素子の発光パターンを同期させることが困難となるので、不正器具の挿入による不正をより一層確実に監視することができる。
【手続補正５】
【補正対象書類名】明細書
【補正対象項目名】００１２
【補正方法】変更
【補正の内容】
【００１２】
本発明の手段２に記載のスロットマシンは、請求項１、２または手段１のいずれかに記載のスロットマシンであって、
前記取込経路を流下するメダルを前記投入メダル検出手段の配置位置よりも上流側で遊技者に返却するための返却経路に切り替える流路切替手段を備え、
前記発光検出手段は、前記投入メダル検出手段とともに前記流路切替手段よりも下流側に配置されていることを特徴とする。
この特徴によれば、投入メダル検出手段と発光検出手段の配置位置が近づくことで、不正器具を投入メダル検出手段にも発光検出手段にも検出されずに挿入することが困難となるので、不正器具の挿入による不正をより確実に監視することができる。
【手続補正６】
【補正対象書類名】明細書
【補正対象項目名】００１３
【補正方法】変更
【補正の内容】
【００１３】
本発明の手段３に記載のスロットマシンは、請求項１、２または手段１、２のいずれかに記載のスロットマシンであって、
前記投入メダル検出手段は、前記取込経路に沿って配置された複数組の前記投光部と受光部から構成され、
前記メダル数加算手段は、前記複数組の投光部及び受光部が予め定められた順番でメダルを検出したことを条件に前記メダル数記憶手段に記憶されているメダル数を加算することを特徴とする。
この特徴によれば、メダルの流下方向が正規の方向でなければメダルの投入とみなされないのでメダルの逆戻し等の不正を防止できるうえに、投入メダル検出手段を構成する投光部及び受光部によるメダルの検出パターンが複雑となって不正器具に搭載された発光素子によるメダルの通過と同じ状況の創出が困難となるので、不正器具による不正を効果的に抑止することができる。
【手続補正７】
【補正対象書類名】明細書
【補正対象項目名】００１４
【補正方法】変更
【補正の内容】
【００１４】
本発明の請求項３に記載のスロットマシンは、
１ゲームに対して所定数の賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
メダル投入口から投入されたメダルを前記賭数の設定に用いるために取り込むための取込経路と、
外部から投入されたメダルの流下経路を、外部に排出する排出経路または前記取込経路のいずれかの流下経路に切り替える流路切替手段と、
メダルの受付が不可能な状態となった場合に、前記流路切替手段により前記流下経路を前記取込経路から前記排出経路に切り替えさせる第１の切替制御手段と、
メダルの受付が可能な状態となった場合に、前記流路切替手段により前記流下経路を前記排出経路から前記取込経路に切り替えさせる第２の切替制御手段と、
前記取込経路を挟んで対向する位置に配置された投光部と受光部を有する複数組の投受光型検出手段と、
前記スロットマシンの電源投入後、所定期間毎に、前記投光部から受光部への光の遮断を検知することで該取込経路を流下するメダルを検出する投入メダル検出手段と前記投光部が非発光状態に変化したときの受光部の受光状態を検出する発光検出手段とを前記複数組の投受光型検出手段から選択する選択手段と、
前記賭数の設定に使用可能なメダル数を記憶するメダル数記憶手段と、
前記投入メダル検出手段として選択された投受光型検出手段がメダルを検出したことを条件に、前記メダル数記憶手段に記憶されているメダル数を加算するメダル数加算手段と、
前記発光検出手段として選択された投受光型検出手段の投光部の発光及び非発光を制御する投光制御手段と、
前記投光制御手段が前記発光検出手段として選択された投受光型検出手段の投光部を非発光に制御している状態で該投受光型検出手段の受光部が受光したときに異常と判定する異常判定手段と、
前記異常判定手段が異常と判定したときに、不正器具が使用された可能性がある旨を特定可能に報知する制御を行う異常時制御手段と、
前記投入メダル検出手段として選択された投受光型検出手段により検出されたメダルの流下方向が正常な流下方向と異なったとき、または前記投入メダル検出手段として選択された投受光型検出手段により検出されたメダルの流下時間が予め定められた最大流下時間を超えたときにエラー判定するエラー判定手段と、
前記エラー判定手段によるエラー判定に基づき所定のエラー処理を実行するエラー処理手段と、
前記第１の切替制御手段が前記メダルの流下経路を前記排出経路に切り替えさせたときに、前記投入メダル検出手段として選択された投受光型検出手段による検出を無効化する無効化手段と、
前記無効化される時間が経過した時点で前記投入メダル検出手段として選択された投受光型検出手段による検出の無効化を解除する無効化解除手段と、
を備え、
前記無効化される時間は、前記無効化手段が前記投入メダル検出手段として選択された投受光型検出手段による検出を無効化した時点から前記最大流下時間よりも長く、かつゲームの開始から前記可変表示装置に表示結果が導出されてゲームが終了するまでの１ゲームに要する最短時間よりも短く、なるように定められた時間である
ことを特徴とする。
この特徴によれば、不正器具をメダル投入口から挿入する際には、投入メダル検出手段により不正器具の挿入が検出されないように発光素子を発光させた状態で挿入し、挿入後においては不正器具が挿入されている状態が検出されないようにメダルの通過と同じ状況を創出するとき以外は常に発光素子を発光させている必要があるが、複数の投受光型検出手段のうち、発光検出手段として選択された投受光型検出手段の投光部が非発光に制御されている状態で対応する受光部が受光した場合に異常と判定する。この異常は、メダル詰まりではあり得ない異常であるので、発光検出手段として選択された投受光型検出手段の投光部が非発光に制御されたときに対応する受光部が不正器具の発光素子の発光を受光することで不正器具の挿入による異常として判定され、その旨が特定可能に報知されるようになり、不正器具の挿入による不正を確実に監視できるため、発光素子を搭載した不正器具を用いた不正行為を効果的に抑止することができる。また、発光検出手段として機能する投受光型検出手段が不定であり、不正器具を検出させずに挿入することが困難となるので、不正器具による不正をより効果的に抑止することができる。
また、メダルの受付が不可能な状態となった場合に、投入メダル検出手段として選択された投受光型検出手段による検出が無効化されるので、投入されたメダルが流下する勢いや後方から流下するメダルの勢いで取込経路側に流下してしまった場合でもエラー判定されてしまうことを防止できる。また、無効化される時間が、大流下時間よりも長く、かつ１ゲームに要する最短時間よりも短く設定されているので、取込経路を流下するメダルの検出が無効化される時間が十分に担保され、エラーの発生を確実に防止できるうえに、次のゲームにて投入されたメダルの検出が無効化されてしまうといった不都合も回避できる。
【手続補正８】
【補正対象書類名】明細書
【補正対象項目名】００１５
【補正方法】変更
【補正の内容】
【００１５】
本発明の手段４に記載のスロットマシンは、請求項３に記載のスロットマシンであって、
前記投光制御手段は、前記発光検出手段として選択された投受光型検出手段の投光部を、該投受光型検出手段が前記発光検出手段として選択されなくなるまで継続して非発光状態に制御することを特徴とする。
この特徴によれば、発光検出手段として選択された投受光型検出手段により、不正器具の挿入が常時監視されることとなり、不正器具を検出させずに挿入することが一層困難となるので、不正器具による不正をより効果的に抑止することができる。
尚、上記では、前記投光制御手段が、前記発光検出手段として選択された投受光型検出手段の投光部を、該投受光型検出手段が前記発光検出手段として選択されなくなるまで継続して非発光状態に制御する構成としているが、前記投光制御手段が、前記発光検出手段として選択された投受光型検出手段の投光部の発光または非発光のタイミングや時間をランダムに制御しても良く、これにより不正器具の発光素子の発光パターンを同期させることが困難となるので、不正器具の挿入による不正をより一層確実に監視することができる。
【手続補正９】
【補正対象書類名】明細書
【補正対象項目名】００１６
【補正方法】変更
【補正の内容】
【００１６】
本発明の手段５に記載のスロットマシンは、請求項３または手段４に記載のスロットマシンであって、
前記投受光型検出手段は、前記取込経路に沿って３つ以上配置されているとともに、
前記選択手段は、前記取込経路に沿って配置された２つ以上の投受光型検出手段を前記投入メダル検出手段として選択し、
前記メダル数加算手段は、前記投入メダル検出手段として選択された投受光型検出手段が予め定められた順番でメダルを検出したことを条件に前記メダル数記憶手段に記憶されているメダル数を加算することを特徴とする。
この特徴によれば、メダルの流下方向が正規の方向でなければメダルの投入とみなされないのでメダルの逆戻し等の不正を防止できるうえに、投入メダル検出手段として選択された投受光型検出手段を構成する投光部及び受光部によるメダルの検出パターンが複雑となって不正器具に搭載された発光素子によるメダルの通過と同じ状況の創出が困難となるので、不正器具による不正をより効果的に抑止することができる。
【手続補正１０】
【補正対象書類名】明細書
【補正対象項目名】００１７
【補正方法】変更
【補正の内容】
【００１７】
本発明の請求項４に記載のスロットマシンは、
１ゲームに対して所定数の賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
メダル投入口から投入されたメダルを前記賭数の設定に用いるために取り込むための取込経路と、
外部から投入されたメダルの流下経路を、外部に排出する排出経路または前記取込経路のいずれかの流下経路に切り替える流路切替手段と、
メダルの受付が不可能な状態となった場合に、前記流路切替手段により前記流下経路を前記取込経路から前記排出経路に切り替えさせる第１の切替制御手段と、
メダルの受付が可能な状態となった場合に、前記流路切替手段により前記流下経路を前記排出経路から前記取込経路に切り替えさせる第２の切替制御手段と、
前記取込経路を挟んで対向する位置に配置された投光部と受光部を有し、該投光部から受光部への光の遮断を検知することで該取込経路を流下するメダルを検出する投入メダル検出手段と、
前記賭数の設定に使用可能なメダル数を記憶するメダル数記憶手段と、
前記投入メダル検出手段がメダルを検出したことを条件に、前記メダル数記憶手段に記憶されているメダル数を加算するメダル数加算手段と、
前記投入メダル検出手段の投光部の発光及び非発光を制御する投光制御手段と、
前記投光制御手段が前記投入メダル検出手段の投光部を非発光に制御している状態で前記投入メダル検出手段の受光部が受光したときに異常と判定する異常判定手段と、
前記異常判定手段が異常と判定したときに、不正器具が使用された可能性がある旨を特定可能に報知する制御を行う異常時制御手段と、
前記投入メダル検出手段により検出されたメダルの流下方向が正常な流下方向と異なったとき、または前記投入メダル検出手段により検出されたメダルの流下時間が予め定められた最大流下時間を超えたときにエラー判定するエラー判定手段と、
前記エラー判定手段によるエラー判定に基づき所定のエラー処理を実行するエラー処理手段と、
前記第１の切替制御手段が前記メダルの流下経路を前記排出経路に切り替えさせたときに、前記投入メダル検出手段による検出を無効化する無効化手段と、
前記無効化される時間が経過した時点で前記投入メダル検出手段による検出の無効化を解除する無効化解除手段と、
を備え、
前記無効化される時間は、前記無効化手段が前記投入メダル検出手段による検出を無効化した時点から前記最大流下時間よりも長く、かつゲームの開始から前記可変表示装置に表示結果が導出されてゲームが終了するまでの１ゲームに要する最短時間よりも短く、なるように定められた時間である
ことを特徴とする。
この特徴によれば、不正器具をメダル投入口から挿入する際には、投入メダル検出手段により不正器具の挿入が検出されないように発光素子を発光させた状態で挿入し、挿入後においては不正器具が挿入されている状態が検出されないようにメダルの通過と同じ状況を創出するとき以外は常に発光素子を発光させている必要があるが、投入メダル検出手段の投光部が非発光に制御されている状態で対応する受光部が受光した場合に異常と判定する。この異常はメダル詰まりではあり得ない異常であるので、投入メダル検出手段の投光部が非発光に制御されたときに対応する受光部が不正器具の発光素子の発光を受光することで不正器具の挿入による異常として判定され、その旨が特定可能に報知されるようになり、不正器具の挿入による不正を確実に監視できるため、発光素子を搭載した不正器具を用いた不正行為を効果的に抑止することができる。
また、前記投光制御手段は、投入メダル検出手段の投光部の発光または非発光のタイミングや時間をランダムに制御することが好ましく、これにより不正器具の発光素子の発光パターンを同期させることが困難となるので、不正器具の挿入による不正をより一層確実に監視することができる。
また、メダルの受付が不可能な状態となった場合に、投入メダル検出手段による検出が無効化されるので、投入されたメダルが流下する勢いや後方から流下するメダルの勢いで取込経路側に流下してしまった場合でもエラー判定されてしまうことを防止できる。また、無効化される時間が、大流下時間よりも長く、かつ１ゲームに要する最短時間よりも短く設定されているので、取込経路を流下するメダルの検出が無効化される時間が十分に担保され、エラーの発生を確実に防止できるうえに、次のゲームにて投入されたメダルの検出が無効化されてしまうといった不都合も回避できる。
【手続補正１１】
【補正対象書類名】明細書
【補正対象項目名】００１８
【補正方法】変更
【補正の内容】
【００１８】
本発明の手段６に記載のスロットマシンは、請求項４に記載のスロットマシンであって、
前記投入メダル検出手段は、前記取込経路に沿って配置された複数組の前記投光部と受光部から構成され、
前記投光制御手段は、最も上流側に配置された投光部の投光を対応する受光部が受光していることを条件に、他の投光部を非発光状態に制御し、前記最も上流側に配置された投光部の投光の遮断を対応する受光部が検知したときに、他の投光部を発光状態に制御することを特徴とする。
この特徴によれば、投入メダル検出手段の投光部を非発光状態に制御している状態において正規に投入されたメダルが検出されなくなってしまうことを防止できる。
【手続補正１２】
【補正対象書類名】明細書
【補正対象項目名】００１９
【補正方法】変更
【補正の内容】
【００１９】
本発明の手段７に記載のスロットマシンは、手段３または手段５または手段６に記載のスロットマシンであって、
前記投入メダル検出手段を構成する少なくとも１組の前記投光部と受光部の向き、または少なくとも１つの前記投受光型検出手段の前記投光部と受光部の向きが、前記投入メダル検出手段を構成する他の組の前記投光部と受光部の向き、または他の前記投受光型検出手段の前記投光部と受光部の向きと逆に配置されていることを特徴とする。
この特徴によれば、発光素子を搭載した不正器具を用いてメダルの投入を誤検出させる場合には、不正器具の両側に発光素子を搭載しなければならず、器具の厚みが増して不正器具をメダルの投入口から投入メダル検出手段の位置まで挿入することが困難となるため、発光素子を搭載した不正器具を用いた不正行為を効果的に抑止することができる。
また、この場合には、取込経路のメダル投入口から投入メダル検出手段または投受光型検出手段までの少なくとも一部の経路幅がメダルの厚みよりもわずかに幅広に形成されていることが好ましく、このようにすれば、メダルの流下を妨げず、かつメダルの厚み以上の不正器具を投光部と受光部の間に配置することがほぼ不可能となるので、発光素子を搭載した不正器具を用いた不正行為をより効果的に抑止することができる。尚、メダルの厚みよりもわずかに幅広に形成されているとは、メダルの厚みを越える幅でメダルの厚みの２倍未満の幅に形成されているものであれば良い。また、投入メダル検出手段または投受光型検出手段の投光部と受光部の離間幅をメダルの厚みよりもわずかに幅広に形成した場合でも同様の効果が得られる。
尚、上記した所定数の賭数とは、少なくとも１以上の賭数であって、２以上の賭数が設定されることや最大賭数が設定されることでゲームが開始可能となるようにしても良い。
また、上記した異常時制御手段が、前記異常判定手段が不正器具の挿入による異常と判定したときに、不正器具が使用された可能性がある旨を特定可能に報知する制御を行うとは、例えば、前記異常判定手段が不正器具の挿入による異常と判定した旨を識別可能に報知する制御や、前記異常判定手段が異常と判定した旨を示す信号を呼出ランプやホールコンピュータ等の周辺機器に出力する制御を行うことである。更に、異常時制御手段は、これらの制御に加えて遊技の進行を不能動化することが好ましく、これにより異常が判定された状態で遊技が進行してしまうことを防止することができる。
【手続補正１３】
【補正対象書類名】明細書
【補正対象項目名】０１７２
【補正方法】変更
【補正の内容】
【０１７２】
本発明の請求項１は、１ゲームに対して所定数の賭数を設定することによりゲームが開始可能となるとともに、表示状態を変化させることが可能な可変表示装置（リール２Ｌ、２Ｃ、２Ｒ）の表示結果が導出表示されることにより１ゲームが終了し、該可変表示装置の表示結果に応じて入賞が発生可能とされたスロットマシン１であって、
メダル投入口（メダル投入口４）から投入されたメダルを前記賭数の設定に用いるために取り込むための取込経路（投入流路３０１、取込側流路３０２）と、
外部から投入されたメダルの流下経路を、外部に排出する排出経路（排出側流路３０３）または前記取込経路（取込側流路３０２）のいずれかの流下経路に切り替える流路切替手段（流路切替板３０４、流路切替ソレノイド１０７）と、
メダルの受付が不可能な状態となった場合に、前記流路切替手段により前記流下経路を前記取込経路から前記排出経路に切り替えさせる第１の切替制御手段（制御部２１０）と、
メダルの受付が可能な状態となった場合に、前記流路切替手段により前記流下経路を前記排出経路から前記取込経路に切り替えさせる第２の切替制御手段（制御部２１０）と、
前記取込経路を挟んで対向する位置に配置された投光部と受光部を有し、該投光部から受光部への光の遮断を検知することで該取込経路を流下するメダルを検出する投入メダル検出手段（第１〜３投入センサ３１ａ〜ｃ）と、
前記賭数の設定に使用可能なメダル数（クレジット）を記憶するメダル数記憶手段（メイン制御部４１のＲＡＭ）と、
前記投入メダル検出手段がメダルを検出したことを条件に、前記メダル数記憶手段に記憶されているメダル数を加算するメダル数加算手段（メイン制御部４１）と、
前記取込経路において前記投入メダル検出手段の配置位置よりも上流側で、かつ該投入メダル検出手段の前記受光部と同じ向きとなるように配置された受光部を有し、該受光部が前記投入メダル検出手段の投光部の光と同質の光を検出する発光検出手段（発光検出センサ３９）と、
前記発光検出手段の受光部が受光したときに異常と判定する異常判定手段（メイン制御部４１）と、
前記異常判定手段が異常と判定したときに、不正器具が使用された可能性がある旨を特定可能に報知する制御を行う異常時制御手段｛メイン制御部４１（発光検出エラー処理）｝と、
前記投入メダル検出手段により検出されたメダルの流下方向が正常な流下方向と異なったとき、または前記投入メダル検出手段により検出されたメダルの流下時間が予め定められた最大流下時間（最大検出時間：１００ｍｓ）を超えたときにエラー判定するエラー判定手段（制御部２１０）と、
前記エラー判定手段によるエラー判定に基づき所定のエラー処理を実行するエラー処理手段（制御部２１０）と、
前記第１の切替制御手段が前記メダルの流下経路を前記排出経路に切り替えさせたときに、前記投入メダル検出手段による検出を無効化する無効化手段と、
前記無効化される時間が経過した時点で前記投入メダル検出手段による検出の無効化を解除する無効化解除手段（制御部２１０）と、
を備え、
前記無効化される時間（検出無効時間）は、前記無効化手段が前記投入メダル検出手段による検出を無効化した時点から前記最大流下時間（１００ｍｓ）よりも長く、かつゲームの開始から前記可変表示装置に表示結果が導出されてゲームが終了するまでの１ゲームに要する最短時間（５００ｍｓを超える時間）よりも短く、なるように定められた時間（５００ｍｓ）である。
【手続補正１４】
【補正対象書類名】明細書
【補正対象項目名】０１７３
【補正方法】変更
【補正の内容】
【０１７３】
本発明の請求項２は、１ゲームに対して所定数の賭数を設定することによりゲームが開始可能となるとともに、表示状態を変化させることが可能な可変表示装置（リール２Ｌ、２Ｃ、２Ｒ）の表示結果が導出表示されることにより１ゲームが終了し、該可変表示装置の表示結果に応じて入賞が発生可能とされたスロットマシンであって、
メダル投入口（メダル投入口４）から投入されたメダルを前記賭数の設定に用いるために取り込むための取込経路（投入流路３０１、取込側流路３０２）と、
外部から投入されたメダルの流下経路を、外部に排出する排出経路（排出側流路３０３）または前記取込経路（取込側流路３０２）のいずれかの流下経路に切り替える流路切替手段（流路切替板３０４、流路切替ソレノイド１０７）と、
メダルの受付が不可能な状態となった場合に、前記流路切替手段により前記流下経路を前記取込経路から前記排出経路に切り替えさせる第１の切替制御手段（制御部２１０）と、
メダルの受付が可能な状態となった場合に、前記流路切替手段により前記流下経路を前記排出経路から前記取込経路に切り替えさせる第２の切替制御手段（制御部２１０）と、
前記取込経路を挟んで対向する位置に配置された投光部と受光部を有し、該投光部から受光部への光の遮断を検知することで該取込経路を流下するメダルを検出する投入メダル検出手段（第１〜３投入センサ３１ａ〜ｃ）と、
前記賭数の設定に使用可能なメダル数（クレジット）を記憶するメダル数記憶手段（メイン制御部４１のＲＡＭ）と、
前記投入メダル検出手段がメダルを検出したことを条件に、前記メダル数記憶手段に記憶されているメダル数を加算するメダル数加算手段（メイン制御部４１）と、
前記取込経路において前記投入メダル検出手段の配置位置よりも上流側で、該取込経路を挟んで対向する位置に前記投入メダル検出手段の投光部と受光部の向きと同じ向きとなるように配置された一対の投光部（投光部４０１ａ）と受光部（受光部４０１ｂ）を有し、該投光部が前記投入メダル検出手段の投光部の光と同質の光を発し、該受光部が前記投入メダル検出手段の投光部の光と同質の光を検出する発光検出手段（発光検出センサ４０１）と、
前記発光検出手段の投光部の発光及び非発光を制御する投光制御手段（メイン制御部４１）と、
前記投光制御手段が前記発光検出手段の投光部を非発光に制御している状態で前記発光検出手段の受光部が受光したときに異常と判定する異常判定手段（メイン制御部４１）と、
前記異常判定手段が異常と判定したときに、不正器具が使用された可能性がある旨を特定可能に報知する制御を行う異常時制御手段｛メイン制御部４１（発光検出エラー処理）｝と、
前記投入メダル検出手段により検出されたメダルの流下方向が正常な流下方向と異なったとき、または前記投入メダル検出手段により検出されたメダルの流下時間が予め定められた最大流下時間（最大検出時間：１００ｍｓ）を超えたときにエラー判定するエラー判定手段（制御部２１０）と、
前記エラー判定手段によるエラー判定に基づき所定のエラー処理を実行するエラー処理手段（制御部２１０）と、
前記第１の切替制御手段が前記メダルの流下経路を前記排出経路に切り替えさせたときに、前記投入メダル検出手段による検出を無効化する無効化手段と、
前記無効化される時間が経過した時点で前記投入メダル検出手段による検出の無効化を解除する無効化解除手段（制御部２１０）と、
を備え、
前記無効化される時間（検出無効時間）は、前記無効化手段が前記投入メダル検出手段による検出を無効化した時点から前記最大流下時間（１００ｍｓ）よりも長く、かつゲームの開始から前記可変表示装置に表示結果が導出されてゲームが終了するまでの１ゲームに要する最短時間（５００ｍｓを超える時間）よりも短く、なるように定められた時間（５００ｍｓ）である。
【手続補正１５】
【補正対象書類名】明細書
【補正対象項目名】０１７４
【補正方法】変更
【補正の内容】
【０１７４】
本発明の手段１は、前記投光制御手段（メイン制御部４１）は、前記投入メダル検出手段（第１〜３投入センサ３１ａ〜ｃ）の検出状態に関わらず前記発光検出手段（発光検出センサ４０１）の投光部（投光部４０１ａ）の発光及び非発光を制御する。
【手続補正１６】
【補正対象書類名】明細書
【補正対象項目名】０１７５
【補正方法】変更
【補正の内容】
【０１７５】
本発明の手段２は、前記取込経路（投入流路３０１）を流下するメダルを前記投入メダル検出手段（第１〜３投入センサ３１ａ〜ｃ）の配置位置よりも上流側で遊技者に返却するための返却経路（排出側流路３０３）に切り替える流路切替手段（流路切替板３０４）を備え、前記発光検出手段（発光検出センサ４０１）は、前記投入メダル検出手段とともに前記流路切替手段よりも下流側に配置されている。
【手続補正１７】
【補正対象書類名】明細書
【補正対象項目名】０１７６
【補正方法】変更
【補正の内容】
【０１７６】
本発明の手段３は、前記投入メダル検出手段は、前記取込経路（投入流路３０１、取込側流路３０２）に沿って配置された複数組の前記投光部と受光部（第１投入センサ３１ａ、第３投入センサ３１ｃの投光部と受光部）から構成され、前記メダル数加算手段（メイン制御部４１）は、前記複数組の投光部及び受光部が予め定められた順番でメダルを検出したことを条件に前記メダル数記憶手段（メイン制御部４１のＲＡＭ）に記憶されているメダル数（クレジット）を加算する。
【手続補正１８】
【補正対象書類名】明細書
【補正対象項目名】０１７７
【補正方法】変更
【補正の内容】
【０１７７】
本発明の請求項３は、１ゲームに対して所定数の賭数を設定することによりゲームが開始可能となるとともに、表示状態を変化させることが可能な可変表示装置（リール２Ｌ、２Ｃ、２Ｒ）の表示結果が導出表示されることにより１ゲームが終了し、該可変表示装置の表示結果に応じて入賞が発生可能とされたスロットマシンであって、
メダル投入口（メダル投入口４）から投入されたメダルを前記賭数の設定に用いるために取り込むための取込経路（投入流路３０１、取込側流路３０２）と、
外部から投入されたメダルの流下経路を、外部に排出する排出経路（排出側流路３０３）または前記取込経路（取込側流路３０２）のいずれかの流下経路に切り替える流路切替手段（流路切替板３０４、流路切替ソレノイド１０７）と、
メダルの受付が不可能な状態となった場合に、前記流路切替手段により前記流下経路を前記取込経路から前記排出経路に切り替えさせる第１の切替制御手段（制御部２１０）と、
メダルの受付が可能な状態となった場合に、前記流路切替手段により前記流下経路を前記排出経路から前記取込経路に切り替えさせる第２の切替制御手段（制御部２１０）と、
前記取込経路を挟んで対向する位置に配置された投光部と受光部を有する複数組の投受光型検出手段（第１共用センサ５０１、第２共用センサ５０２、第１投入センサ３１ａ、第２投入センサ３１ｂ）と、
前記スロットマシンの電源投入後、所定期間毎に、前記投光部から受光部への光の遮断を検知することで該取込経路を流下するメダルを検出する投入メダル検出手段（投入センサ）と前記投光部が非発光状態に変化したときの受光部の受光状態を検出する発光検出手段（発光検出センサ）とを前記複数組の投受光型検出手段から選択する選択手段（メイン制御部４１）と、
前記賭数の設定に使用可能なメダル数（クレジット）を記憶するメダル数記憶手段（メイン制御部４１のＲＡＭ）と、
前記投入メダル検出手段として選択された投受光型検出手段がメダルを検出したことを条件に、前記メダル数記憶手段に記憶されているメダル数を加算するメダル数加算手段（メイン制御部４１）と、
前記発光検出手段として選択された投受光型検出手段の投光部の発光及び非発光を制御する投光制御手段（メイン制御部４１）と、
前記投光制御手段が前記発光検出手段として選択された投受光型検出手段の投光部を非発光に制御している状態で該投受光型検出手段の受光部が受光したときに異常と判定する異常判定手段（メイン制御部４１）と、
前記異常判定手段が異常と判定したときに、不正器具が使用された可能性がある旨を特定可能に報知する制御を行う異常時制御手段｛メイン制御部４１（発光検出エラー処理）｝と、
前記投入メダル検出手段として選択された投受光型検出手段により検出されたメダルの流下方向が正常な流下方向と異なったとき、または前記投入メダル検出手段として選択された投受光型検出手段により検出されたメダルの流下時間が予め定められた最大流下時間（最大検出時間：１００ｍｓ）を超えたときにエラー判定するエラー判定手段（制御部２１０）と、
前記エラー判定手段によるエラー判定に基づき所定のエラー処理を実行するエラー処理手段（制御部２１０）と、
前記第１の切替制御手段が前記メダルの流下経路を前記排出経路に切り替えさせたときに、前記投入メダル検出手段として選択された投受光型検出手段による検出を無効化する無効化手段と、
前記無効化される時間が経過した時点で前記投入メダル検出手段として選択された投受光型検出手段による検出の無効化を解除する無効化解除手段（制御部２１０）と、
を備え、
前記無効化される時間（検出無効時間）は、前記無効化手段が前記投入メダル検出手段として選択された投受光型検出手段による検出を無効化した時点から前記最大流下時間（１００ｍｓ）よりも長く、かつゲームの開始から前記可変表示装置に表示結果が導出されてゲームが終了するまでの１ゲームに要する最短時間（５００ｍｓを超える時間）よりも短く、なるように定められた時間（５００ｍｓ）である。
【手続補正１９】
【補正対象書類名】明細書
【補正対象項目名】０１７８
【補正方法】変更
【補正の内容】
【０１７８】
本発明の手段４は、前記投光制御手段（メイン制御部４１）は、前記発光検出手段（発光検出センサ）として選択された投受光型検出手段（第１共用センサ５０１、第２共用センサ５０２）の投光部を、該投受光型検出手段が前記発光検出手段として選択されなくなるまで継続して非発光状態に制御する。
【手続補正２０】
【補正対象書類名】明細書
【補正対象項目名】０１７９
【補正方法】変更
【補正の内容】
【０１７９】
本発明の手段５は、前記投受光型検出手段（第１共用センサ５０１、第２共用センサ５０２、第１投入センサ３１ａ、第２投入センサ３１ｂ）は、前記取込経路（投入流路３０１、取込側流路３０２）に沿って３つ以上配置されているとともに、前記選択手段は、前記取込経路に沿って配置された２つ以上の投受光型検出手段を前記投入メダル検出手段（投入センサ）として選択し、前記メダル数加算手段（メイン制御部４１）は、前記投入メダル検出手段として選択された投受光型検出手段が予め定められた順番でメダルを検出したことを条件に前記メダル数記憶手段（メイン制御部４１のＲＡＭ）に記憶されているメダル数（クレジット）を加算する。
【手続補正２１】
【補正対象書類名】明細書
【補正対象項目名】０１８０
【補正方法】変更
【補正の内容】
【０１８０】
本発明の請求項４は、１ゲームに対して所定数の賭数を設定することによりゲームが開始可能となるとともに、表示状態を変化させることが可能な可変表示装置（リール２Ｌ、２Ｃ、２Ｒ）の表示結果が導出表示されることにより１ゲームが終了し、該可変表示装置の表示結果に応じて入賞が発生可能とされたスロットマシンであって、
メダル投入口（メダル投入口４）から投入されたメダルを前記賭数の設定に用いるために取り込むための取込経路（投入流路３０１、取込側流路３０２）と、
外部から投入されたメダルの流下経路を、外部に排出する排出経路（排出側流路３０３）または前記取込経路（取込側流路３０２）のいずれかの流下経路に切り替える流路切替手段（流路切替板３０４、流路切替ソレノイド１０７）と、
メダルの受付が不可能な状態となった場合に、前記流路切替手段により前記流下経路を前記取込経路から前記排出経路に切り替えさせる第１の切替制御手段（制御部２１０）と、
メダルの受付が可能な状態となった場合に、前記流路切替手段により前記流下経路を前記排出経路から前記取込経路に切り替えさせる第２の切替制御手段（制御部２１０）と、
前記取込経路を挟んで対向する位置に配置された投光部と受光部を有し、該投光部から受光部への光の遮断を検知することで該取込経路を流下するメダルを検出する投入メダル検出手段（第１〜３投入センサ３１ａ、６０１、６０２）と、
前記賭数の設定に使用可能なメダル数（クレジット）を記憶するメダル数記憶手段（メイン制御部４１のＲＡＭ）と、
前記投入メダル検出手段がメダルを検出したことを条件に、前記メダル数記憶手段に記憶されているメダル数を加算するメダル数加算手段（メイン制御部４１）と、
前記投入メダル検出手段の投光部の発光及び非発光を制御する投光制御手段（メイン制御部４１）と、
前記投光制御手段が前記投入メダル検出手段の投光部を非発光に制御している状態で前記投入メダル検出手段の受光部が受光したときに異常と判定する異常判定手段（メイン制御部４１）と、
前記異常判定手段が異常と判定したときに、不正器具が使用された可能性がある旨を特定可能に報知する制御を行う異常時制御手段｛メイン制御部４１（発光検出エラー処理）｝と、
前記投入メダル検出手段により検出されたメダルの流下方向が正常な流下方向と異なったとき、または前記投入メダル検出手段により検出されたメダルの流下時間が予め定められた最大流下時間（最大検出時間：１００ｍｓ）を超えたときにエラー判定するエラー判定手段（制御部２１０）と、
前記エラー判定手段によるエラー判定に基づき所定のエラー処理を実行するエラー処理手段（制御部２１０）と、
前記第１の切替制御手段が前記メダルの流下経路を前記排出経路に切り替えさせたときに、前記投入メダル検出手段による検出を無効化する無効化手段と、
前記無効化される時間が経過した時点で前記投入メダル検出手段による検出の無効化を解除する無効化解除手段（制御部２１０）と、
を備え、
前記無効化される時間（検出無効時間）は、前記無効化手段が前記投入メダル検出手段による検出を無効化した時点から前記最大流下時間（１００ｍｓ）よりも長く、かつゲームの開始から前記可変表示装置に表示結果が導出されてゲームが終了するまでの１ゲームに要する最短時間（５００ｍｓを超える時間）よりも短く、なるように定められた時間（５００ｍｓ）である。
【手続補正２２】
【補正対象書類名】明細書
【補正対象項目名】０１８１
【補正方法】変更
【補正の内容】
【０１８１】
本発明の手段６は、前記投入メダル検出手段は、前記取込経路（投入流路３０１、取込側流路３０２）に沿って配置された複数組の前記投光部と受光部（第１投入センサ３１ａ、第３投入センサ３１ｃの投光部と受光部）から構成され、前記投光制御手段（メイン制御部４１）は、最も上流側に配置された投光部（第１投入センサ３１ａの投光部）の投光を対応する受光部が受光していることを条件に、他の投光部（第２投入センサ６０１、第３投入センサ６０２の投光部）を非発光状態に制御し、前記最も上流側に配置された投光部の投光の遮断を対応する受光部が検知したときに、他の投光部を発光状態に制御する。
【手続補正２３】
【補正対象書類名】明細書
【補正対象項目名】０１８２
【補正方法】変更
【補正の内容】
【０１８２】
本発明の手段７は、前記投入メダル検出手段（投入センサ）を構成する少なくとも１組の前記投光部と受光部の向き、または少なくとも１つの前記投受光型検出手段（共用センサ）の前記投光部と受光部の向きが、前記投入メダル検出手段を構成する他の組の前記投光部と受光部の向き、または他の前記投受光型検出手段の前記投光部と受光部の向きと逆に配置されている。